(57)【要約】【課題】ＴＦＣＩ復号誤りを減らしたＣＤＭＡ受信装置を提供する。【解決手段】ＴＦＣＩ相関値の差が小さい場合のようなＴＦＣＩ候補の信憑性が低い時に、ＴＦＣＩ相関値が高い複数のＴＦＣＩからの転送フォーマット情報によってデータを復号し、ＣＲＣ判定結果から正しいＴＦＣＩを選択してこのＴＦＣＩによって復号されたデータを上位層に報告する。従って、誤りのない転送フォーマット情報に従って復号化されたデータを上位層に報告することが可能となり、有限である無線リソースの利用効率を保つことができる。【選択図】        図１
2004343444.tif 000002
【特許請求の範囲】
【請求項１】
ＣＤＭＡ方式の移動体通信システムに用いられるＣＤＭＡ受信装置であって、
データの転送フォーマット情報が乗せられたＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号と、予め特定されたＴＦＣＩ符号化系列との相関値を求めるＴＦＣＩ復号化手段と、
前記ＴＦＣＩ復号化手段によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較し、該相関値距離が該第１の閾値よりも小さい場合に、ＴＦＣＩ候補の前記転送フォーマット情報に従って物理チャネルのデータを転送チャネルのデータに復号化する復号処理を、複数のＴＦＣＩ候補の転送フォーマット情報を用いてそれぞれ並列に行なうように制御するＴＦＣＩ相関判定手段と、
を有することを特徴とするＣＤＭＡ受信装置。
【請求項２】
前記相関値距離が前記第１の閾値よりも小さい場合に、前記複数のＴＦＣＩ候補の転送フォーマット情報により前記復号処理を並列に行い、
前記復号処理により得られるＣＲＣ（Ｃｙｃｌｉｃ  Ｒｅｄｕｎｄａｎｃｙ  Ｃｈｅｃｋ）判定結果が正常であるか否かを判断し、正常であると判断されたＴＦＣＩ候補による転送フォーマット情報を用いて復号された転送チャネルのデータと、前記ＣＲＣ判定結果とを上位層に報告する転送チャネルフォーマット判定手段を有することを特徴とする請求項１記載のＣＤＭＡ受信装置。
【請求項３】
ＣＤＭＡ方式の移動体通信システムに用いられるＣＤＭＡ受信装置であって、
データの転送フォーマット情報が乗せられたＴＦＣＩ信号と、予め特定されたＴＦＣＩ符号化系列との相関値を求めるＴＦＣＩ復号化手段と、
前記ＴＦＣＩ復号化手段によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較し、該相関値距離が該第１の閾値よりも小さい場合に、ＴＦＣＩ候補の前記転送フォーマット情報に従って物理チャネルのデータを転送チャネルのデータに復号化する復号処理を、複数のＴＦＣＩ候補の転送フォーマット情報を用いてそれぞれ並列に行なうように制御するＴＦＣＩ相関判定手段と、
前記ＴＦＣＩ相関値が最も大きいＴＦＣＩ候補の転送フォーマット情報に従って、物理チャネルのデータを転送チャネルのブロック数、ブロックサイズに分割し、転送チャネルのデータを出力する第１の逆多重化手段と、
前記第１の逆多重化手段からの前記転送チャネルのデータを復号処理し、復号されたデータとＣＲＣ判定結果とを出力する第１のデコード手段と、
前記次にＴＦＣＩ相関値が大きいＴＦＣＩ候補の転送フォーマット情報に従って、物理チャネルのデータを転送チャネルのブロック数、ブロックサイズに分割し、転送チャネルのデータを出力する第２の逆多重化手段と、
前記第２の逆多重化手段からの前記転送チャネルのデータを復号処理し、復号されたデータとＣＲＣ判定結果とを出力する第２のデコード手段と、
前記第１のデコード手段と前記第２のデコード手段により得られるＣＲＣ判定結果が正常であるか否かを判断し、正常であると判断されたＴＦＣＩ候補による転送フォーマット情報を用いて復号された転送チャネルのデータと、前記ＣＲＣ判定結果とを上位層に報告する転送チャネルフォーマット判定手段と、
を有することを特徴とするＣＤＭＡ受信装置。
【請求項４】
前記ＴＦＣＩ相関判定手段は、
前記相関値距離が前記第１の閾値よりも大きい場合に、前記第２の逆多重化手段と前記第２のデコード手段とを動作しないように制御し、
前記ＴＦＣＩ相関値が最も大きいＴＦＣＩ候補の転送フォーマット情報に従って、物理チャネルのデータを転送チャネルのブロック数、ブロックサイズに分割した転送チャネルのデータを第１の逆多重化手段で出力し、
前記第１の逆多重化手段からの前記転送チャネルのデータを前記第１のデコード手段で復号処理することで、復号されたデータとＣＲＣ判定結果とを出力し、
前記転送チャネルフォーマット判定手段は、前記第１のデコード手段で復号されたデータとＣＲＣ判定結果とを前記上位層に報告することを特徴とする請求項３記載のＣＤＭＡ受信装置。
【請求項５】
前記ＴＦＣＩ相関判定手段は、
前記ＴＦＣＩ相関値が最も大きいＴＦＣＩ候補の前記ＴＦＣＩ相関値を第２の閾値と比較し、該ＴＦＣＩ相関値が該第２の閾値よりも小さいときに前記ＴＦＣＩ復号化手段によって求められた最もＴＦＣＩ相関値が大きいＴＦＣＩ候補と、次にＴＦＣＩ相関値が大きいＴＦＣＩ候補とのＴＦＣＩ相関値の差である相関値距離を前記第１の閾値と比較して復号処理を並列に行なうか否かを判断することを特徴とする請求項３または４記載のＣＤＭＡ受信装置。
【請求項６】
ＣＤＭＡ方式の移動体通信システムに用いられるＣＤＭＡ受信装置のＴＦＣＩ候補判定方法であって、
データの転送フォーマット情報が乗せられたＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号と、予め特定されたＴＦＣＩ符号化系列との相関値を求めるＴＦＣＩ復号化工程と、
前記ＴＦＣＩ復号化工程によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較する相関値距離比較工程と、
を有し、
前記相関値距離が前記第１の閾値よりも小さい場合に、ＴＦＣＩ候補の前記転送フォーマット情報に従って物理チャネルのデータを転送チャネルのデータに復号化する復号処理を、複数のＴＦＣＩ候補の転送フォーマット情報を用いてそれぞれ並列に行なうようにすることを特徴とするＴＦＣＩ候補判定方法。
【請求項７】
前記相関値距離が前記第１の閾値よりも小さい場合に、前記複数のＴＦＣＩ候補の転送フォーマット情報により前記復号処理を並列に行い、
前記復号処理により得られるＣＲＣ（Ｃｙｃｌｉｃ  Ｒｅｄｕｎｄａｎｃｙ  Ｃｈｅｃｋ）判定結果が正常であるか否かを判断し、正常であると判断されたＴＦＣＩ候補による転送フォーマット情報を用いて復号された転送チャネルのデータと、前記ＣＲＣ判定結果とを上位層に報告する転送チャネルフォーマット判定工程を有することを特徴とする請求項６記載のＴＦＣＩ候補判定方法。
【請求項８】
ＣＤＭＡ方式の移動体通信システムに用いられるＣＤＭＡ受信装置のＴＦＣＩ候補判定方法であって、
データの転送フォーマット情報が乗せられたＴＦＣＩ信号と、予め特定されたＴＦＣＩ符号化系列との相関値を求めるＴＦＣＩ復号化工程と、
前記ＴＦＣＩ復号化工程によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較する相関値距離比較工程と、
前記ＴＦＣＩ相関値が最も大きいＴＦＣＩ候補の転送フォーマット情報に従って物理チャネルのデータを転送チャネルのブロック数、ブロックサイズに分割し、転送チャネルのデータを出力する第１の逆多重化工程と、
前記第１の逆多重化工程からの前記転送チャネルのデータを復号処理し、復号されたデータとＣＲＣ判定結果とを出力する第１のデコード工程と、
前記次にＴＦＣＩ相関値が大きいＴＦＣＩ候補の転送フォーマット情報に従って、物理チャネルのデータを転送チャネルのブロック数、ブロックサイズに分割し、転送チャネルのデータを出力する第２の逆多重化工程と、
前記第２の逆多重化工程からの前記転送チャネルのデータを復号処理し、復号されたデータとＣＲＣ判定結果とを出力する第２のデコード工程と、
前記相関値距離比較工程により相関値距離が前記第１の閾値よりも小さいと判定された場合に、前記第１の逆多重化工程と前記第１のデコード工程とによる第１の復号処理と、前記第２の逆多重化工程と前記第２のデコード工程による第２の復号処理とを並列に実行するように指示する並列処理指示工程と、
前記第１のデコード工程と前記第２のデコード工程により得られるＣＲＣ判定結果が正常であるか否かを判断し、正常であると判断されたＴＦＣＩ候補による転送フォーマット情報を用いて復号された転送チャネルのデータと、前記ＣＲＣ判定結果とを上位層に報告する転送チャネルフォーマット判定工程と、
を有することを特徴とするＴＦＣＩ候補判定方法。
【請求項９】
前記並列処理指示工程は、
前記相関値距離が前記第１の閾値よりも大きい場合に、前記第２の逆多重化工程と前記第２のデコード工程とを実施しないように指示し、
前記ＴＦＣＩ相関値が最も大きいＴＦＣＩ候補の転送フォーマット情報に従って、物理チャネルのデータを転送チャネルのブロック数、ブロックサイズに分割した転送チャネルのデータを第１の逆多重化工程により出力し、
前記第１の逆多重化工程からの前記転送チャネルのデータを前記第１のデコード工程で復号処理することで、復号されたデータとＣＲＣ判定結果とを出力し、
前記転送チャネルフォーマット判定工程は、前記第１のデコード工程で復号されたデータとＣＲＣ判定結果とを前記上位層に報告することを特徴とする請求項８記載のＴＦＣＩ候補判定方法。
【請求項１０】
前記ＴＦＣＩ相関値が最も大きいＴＦＣＩ候補の前記ＴＦＣＩ相関値を第２の閾値と比較するＴＦＣＩ相関値判定工程を有し、
前記ＴＦＣＩ相関値判定工程により、前記ＴＦＣＩ相関値が前記第２の閾値よりも小さいと判定された時に、前記相関値距離比較工程により最もＴＦＣＩ相関値が大きいＴＦＣＩ候補と、次にＴＦＣＩ相関値が大きいＴＦＣＩ候補とのＴＦＣＩ相関値の差である相関値距離を前記第１の閾値と比較して復号処理を並列に行なうか否かを判断することを特徴とする請求項８または９記載のＴＦＣＩ候補判定方法。
【発明の詳細な説明】
【０００１】
【発明の属する技術分野】
本発明はＣＤＭＡ（Ｃｏｄｅｄ  Ｄｉｖｉｓｉｏｎ  Ｍｕｌｔｉｐｌｅ  Ａｃｃｓｓ）方式の移動体通信システムに用いられるＣＤＭＡ受信装置、そのＴＦＣＩ候補判定方法に関する。
【０００２】
【従来の技術】
ＣＤＭＡ受信装置は、例えば「Ｗ−ＣＤＭＡ移動通信方式」（立川敬二監修，丸善株式会社発行）で説明されているが、一般的に図２に示されるようにデコード部において無線フレーム結合３１、１次インターリーブ３２、レートマッチング３３、誤り訂正復号（ビタビ復号、ターボ復号）３４やＣＲＣ判定３５などの復号処理を行う際、復号処理を行う単位であるデータのブロックサイズやブロック数という転送フォーマット情報（Ｔｒａｎｓｐｏｒｔ  Ｆｏｒｍａｔ）が必要となる。この転送フォーマット情報は、転送チャネル（Ｔｒａｎｓｐｏｒｔ  Ｃｈａｎｎｅｌ）と呼ばれるチャネル毎に決定され、転送時間間隔（Ｔｒａｎｓｍｉｓｓｉｏｎ  Ｔｉｍｅ  Ｉｎｔｅｒｖａｌ）と呼ばれる周期で異なる値を取りえる。なお、この転送時間間隔は、無線インターフェースのデータユニットの最小単位である無線フレーム長の整数倍の値をとる。
【０００３】
無線区間では、複数の転送チャネルが多重されて送信されているため、各転送チャネルの持つフォーマット情報の組み合わせを示す値（ＴＦＣＩ：Ｔｒａｎｓｐｏｒｔ  Ｆｏｒｍａｔ  Ｃｏｍｂｉｎａｔｉｏｎ  Ｉｎｄｉｃａｔｏｒ）が情報信号とは別に無線フレーム中に埋め込まれて送信されている。従って、ＣＤＭＡ受信装置のデコード部では復号処理を開始する前に、受信されたＴＦＣＩ信号を判定して、各転送チャネルの復号処理に必要なフォーマット情報を知る必要がある。
【０００４】
ＴＦＣＩは番号で示され、その番号によってデータの送信フォーマット、すなわちデータブロックサイズとブロック数とが特定される。つまりＴＦＣＩ番号により、データレートが特定される。３ＧＰＰ（３ｒｄ  Ｇｅｎｅｒａｔｉｏｎ  Ｐａｒｔｎｅｒｓｈｉｐ  Ｐｒｏｊｅｃｔ）によって規定されている第３世代の移動体通信システムの規格によれば、ＴＦＣＩは、０番〜１０２３番の番号（１０２４個の番号）のうちの１つにより示され、各番号に対応する符号語（ＴＦＣＩ符号化系列という）に変換されて送信される。
【０００５】
ＴＦＣＩを受信したＣＤＭＡ受信装置は、復号化部で予め特定されている１０２４種類のＴＦＣＩ符号化系列と実際に受信したＴＦＣＩ信号との相関値をそれぞれ求め、求めた１０２４個の相関値のうちで最大値をとる相関値に対応する番号を受信したＴＦＣＩの番号として判定する。そして、復号化部では、判定したＴＦＣＩ番号によって特定される送信フォーマットに従ってデータの復号を行なう。
【０００６】
ＴＦＣＩ信号は長さ３０ビットの１個の符号語にマッピングされており、リード・マラー符号化されて送信されている。このＴＦＣＩ復号アルゴリズムは復号されたＴＦＣＩに誤りがないかどうかを判断することはできないため、ＴＦＣＩ信号が誤って復号された場合、システムは得られたＴＦＣＩが無線フレームの正しい各転送チャネルの状態を示しているかのようにデコード処理を行う。このため、誤った多重化パラメータ、レートマッチング、誤り訂正復号処理を行い、その結果として各転送チャネルの無線フレームデータは失われてしまう。この障害は後続のＣＲＣで検出されて、始めて検出される。
【０００７】
受信精度の向上を目的とした発明が、以下に示す特許文献１、２に開示されている。
【０００８】
【特許文献１】
特開２００２−２４６９４９号公報
【特許文献２】
特開２００３−３２１４６号公報
【０００９】
【発明が解決しようとする課題】
上述したようにＴＦＣＩ復号アルゴリズムは復号されたＴＦＣＩに誤りがないかどうかを判断することはできない。従って、誤ったＴＦＣＩによる誤った処理が行なわれ、各転送チャネルの無線フレームデータが失われてしまうという問題がある。
【００１０】
無線フレームデータの再送は無線リソースの使用効率を低下させる。
【００１１】
本発明は上記事情に鑑みてなされたものであり、ＴＦＣＩ復号誤りを減らしたＣＤＭＡ受信装置、そのＴＦＣＩ候補判定方法を提供することを目的とする。
【００１２】
【課題を解決するための手段】
係る目的を達成するために請求項１記載の発明は、ＣＤＭＡ方式の移動体通信システムに用いられるＣＤＭＡ受信装置であって、データの転送フォーマット情報が乗せられたＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号と、予め特定されたＴＦＣＩ符号化系列との相関値を求めるＴＦＣＩ復号化手段と、ＴＦＣＩ復号化手段によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較し、該相関値距離が該第１の閾値よりも小さい場合に、ＴＦＣＩ候補の前記転送フォーマット情報に従って物理チャネルのデータを転送チャネルのデータに復号化する復号処理を、複数のＴＦＣＩ候補の転送フォーマット情報を用いてそれぞれ並列に行なうように制御するＴＦＣＩ相関判定手段と、を有することを特徴とする。
【００１３】
請求項２記載の発明は、請求項１記載の発明において、相関値距離が前記第１の閾値よりも小さい場合に、複数のＴＦＣＩ候補の転送フォーマット情報により復号処理を並列に行い、復号処理により得られるＣＲＣ（Ｃｙｃｌｉｃ  Ｒｅｄｕｎｄａｎｃｙ  Ｃｈｅｃｋ）判定結果が正常であるか否かを判断し、正常であると判断されたＴＦＣＩ候補による転送フォーマット情報を用いて復号された転送チャネルのデータと、ＣＲＣ判定結果とを上位層に報告する転送チャネルフォーマット判定手段を有することを特徴とする。
【００１４】
請求項３記載の発明は、ＣＤＭＡ方式の移動体通信システムに用いられるＣＤＭＡ受信装置であって、データの転送フォーマット情報が乗せられたＴＦＣＩ信号と、予め特定されたＴＦＣＩ符号化系列との相関値を求めるＴＦＣＩ復号化手段と、ＴＦＣＩ復号化手段によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較し、該相関値距離が該第１の閾値よりも小さい場合に、ＴＦＣＩ候補の前記転送フォーマット情報に従って物理チャネルのデータを転送チャネルのデータに復号化する復号処理を、複数のＴＦＣＩ候補の転送フォーマット情報を用いてそれぞれ並列に行なうように制御するＴＦＣＩ相関判定手段と、ＴＦＣＩ相関値が最も大きいＴＦＣＩ候補の転送フォーマット情報に従って、物理チャネルのデータを転送チャネルのブロック数、ブロックサイズに分割し、転送チャネルのデータを出力する第１の逆多重化手段と、第１の逆多重化手段からの転送チャネルのデータを復号処理し、復号されたデータとＣＲＣ判定結果とを出力する第１のデコード手段と、次にＴＦＣＩ相関値が大きいＴＦＣＩ候補の転送フォーマット情報に従って、物理チャネルのデータを転送チャネルのブロック数、ブロックサイズに分割し、転送チャネルのデータを出力する第２の逆多重化手段と、第２の逆多重化手段からの前記転送チャネルのデータを復号処理し、復号されたデータとＣＲＣ判定結果とを出力する第２のデコード手段と、第１のデコード手段と前記第２のデコード手段により得られるＣＲＣ判定結果が正常であるか否かを判断し、正常であると判断されたＴＦＣＩ候補による転送フォーマット情報を用いて復号された転送チャネルのデータと、ＣＲＣ判定結果とを上位層に報告する転送チャネルフォーマット判定手段と、を有することを特徴とする。
【００１５】
請求項４記載の発明は、請求項３記載の発明において、ＴＦＣＩ相関判定手段は、相関値距離が第１の閾値よりも大きい場合に、第２の逆多重化手段と第２のデコード手段とを動作しないように制御し、ＴＦＣＩ相関値が最も大きいＴＦＣＩ候補の転送フォーマット情報に従って、物理チャネルのデータを転送チャネルのブロック数、ブロックサイズに分割した転送チャネルのデータを第１の逆多重化手段で出力し、第１の逆多重化手段からの転送チャネルのデータを第１のデコード手段で復号処理することで、復号されたデータとＣＲＣ判定結果とを出力し、転送チャネルフォーマット判定手段は、第１のデコード手段で復号されたデータとＣＲＣ判定結果とを上位層に報告することを特徴とする。
【００１６】
請求項５記載の発明は、請求項３または４記載の発明において、ＴＦＣＩ相関判定手段は、ＴＦＣＩ相関値が最も大きいＴＦＣＩ候補のＴＦＣＩ相関値を第２の閾値と比較し、該ＴＦＣＩ相関値が該第２の閾値よりも小さいときにＴＦＣＩ復号化手段によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較して復号処理を並列に行なうか否かを判断することを特徴とする。
【００１７】
請求項６記載の発明は、ＣＤＭＡ方式の移動体通信システムに用いられるＣＤＭＡ受信装置のＴＦＣＩ候補判定方法であって、データの転送フォーマット情報が乗せられたＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）信号と、予め特定されたＴＦＣＩ符号化系列との相関値を求めるＴＦＣＩ復号化工程と、ＴＦＣＩ復号化工程によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較する相関値距離比較工程と、を有し、相関値距離が前記第１の閾値よりも小さい場合に、ＴＦＣＩ候補の転送フォーマット情報に従って物理チャネルのデータを転送チャネルのデータに復号化する復号処理を、複数のＴＦＣＩ候補の転送フォーマット情報を用いてそれぞれ並列に行なうようにすることを特徴とする。
【００１８】
請求項７記載の発明は、請求項６記載の発明において、相関値距離が第１の閾値よりも小さい場合に、複数のＴＦＣＩ候補の転送フォーマット情報により復号処理を並列に行い、復号処理により得られるＣＲＣ（Ｃｙｃｌｉｃ  Ｒｅｄｕｎｄａｎｃｙ  Ｃｈｅｃｋ）判定結果が正常であるか否かを判断し、正常であると判断されたＴＦＣＩ候補による転送フォーマット情報を用いて復号された転送チャネルのデータと、ＣＲＣ判定結果とを上位層に報告する転送チャネルフォーマット判定工程を有することを特徴とする。
【００１９】
請求項８記載の発明は、ＣＤＭＡ方式の移動体通信システムに用いられるＣＤＭＡ受信装置のＴＦＣＩ候補判定方法であって、データの転送フォーマット情報が乗せられたＴＦＣＩ信号と、予め特定されたＴＦＣＩ符号化系列との相関値を求めるＴＦＣＩ復号化工程と、ＴＦＣＩ復号化工程によって求められた最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較する相関値距離比較工程と、ＴＦＣＩ相関値が最も大きいＴＦＣＩ候補の転送フォーマット情報に従って物理チャネルのデータを転送チャネルのブロック数、ブロックサイズに分割し、転送チャネルのデータを出力する第１の逆多重化工程と、第１の逆多重化工程からの転送チャネルのデータを復号処理し、復号されたデータとＣＲＣ判定結果とを出力する第１のデコード工程と、次にＴＦＣＩ相関値が大きいＴＦＣＩ候補の転送フォーマット情報に従って、物理チャネルのデータを転送チャネルのブロック数、ブロックサイズに分割し、転送チャネルのデータを出力する第２の逆多重化工程と、第２の逆多重化工程からの前記転送チャネルのデータを復号処理し、復号されたデータとＣＲＣ判定結果とを出力する第２のデコード工程と、相関値距離比較工程により相関値距離が前記第１の閾値よりも小さいと判定された場合に、第１の逆多重化工程と前記第１のデコード工程とによる第１の復号処理と、第２の逆多重化工程と第２のデコード工程による第２の復号処理とを並列に実行するように指示する並列処理指示工程と、第１のデコード工程と第２のデコード工程により得られるＣＲＣ判定結果が正常であるか否かを判断し、正常であると判断されたＴＦＣＩ候補による転送フォーマット情報を用いて復号された転送チャネルのデータと、ＣＲＣ判定結果とを上位層に報告する転送チャネルフォーマット判定工程と、を有することを特徴とする。
【００２０】
請求項９記載の発明は、請求項８記載の発明において、並列処理指示工程は、相関値距離が第１の閾値よりも大きい場合に、第２の逆多重化工程と第２のデコード工程とを実施しないように指示し、ＴＦＣＩ相関値が最も大きいＴＦＣＩ候補の転送フォーマット情報に従って、物理チャネルのデータを転送チャネルのブロック数、ブロックサイズに分割した転送チャネルのデータを第１の逆多重化工程により出力し、第１の逆多重化工程からの転送チャネルのデータを第１のデコード工程で復号処理することで、復号されたデータとＣＲＣ判定結果とを出力し、転送チャネルフォーマット判定工程は、第１のデコード工程で復号されたデータとＣＲＣ判定結果とを上位層に報告することを特徴とする。
【００２１】
請求項１０記載の発明は、請求項８または９記載の発明において、ＴＦＣＩ相関値が最も大きいＴＦＣＩ候補のＴＦＣＩ相関値を第２の閾値と比較するＴＦＣＩ相関値判定工程を有し、ＴＦＣＩ相関値判定工程により、ＴＦＣＩ相関値が第２の閾値よりも小さいと判定された時に、相関値距離比較工程により最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較して復号処理を並列に行なうか否かを判断することを特徴とする。
【００２２】
【発明の実施の形態】
次に、添付図面を参照しながら本発明のＣＤＭＡ受信装置、そのＴＦＣＩ候補判定方法に係る実施の形態を詳細に説明する。図１〜図６を参照すると本発明のＣＤＭＡ受信装置、そのＴＦＣＩ候補判定方法に係る実施の形態が示されている。
【００２３】
まず、図１を参照しながら本実施形態の構成について説明する。図１を参照すると、本実施形態のＣＤＭＡ受信装置１の構成が示されている。
ＣＤＭＡ受信装置１は、物理チャネル分離部２を有し、この物理チャネル分離部２で物理チャネル情報２０はデータ信号と、ＴＦＣＩ信号と、ＴＰＣ（Ｔｒａｎｓｐｏｒｔ  ＰｏｗｅｒＣｏｎｔｒｏｌ）信号と、パイロット信号とに分離される。データ信号は２次インターリービング部３へ、ＴＦＣＩ信号はＴＦＣＩ復号部５へそれぞれ供給される。ＴＰＣ信号、パイロット信号は別の機能ブロックへ出力されるが、本発明と直接関係が無く、その処理は一般に当業者に周知であるため説明を省略する。
【００２４】
２次インターリービング部３に出力されたデータ信号は、物理チャネル毎に並び替えを行い、物理チャネル結合部４に出力される。物理チャネル結合部４は複数の物理チャネルの情報を１つにまとめ、第１逆多重化部８、第２逆多重化部１１へ出力する。
【００２５】
また、ＴＦＣＩ復号部５に出力されたＴＦＣＩ信号は、リード・マラー復号によって長さ３０ビットの１個の符号語から１０ビットの情報としてＴＦＣＩ情報を復号するが、リード・マラー復号化は、当業者にとって周知であるため、その詳細な説明は省略する。ＴＦＣＩ復号部５は予め特定されている１０２４種類のＴＦＣＩ符号化系列と実際に受信したＴＦＣＩ信号との相関値をそれぞれ求める。ＴＦＣＩ情報はＴＦＣＩ候補とその相関値から構成される。復号されたＴＦＣＩ情報は、ＴＦＣＩ相関判定部６に出力される。
【００２６】
ＴＦＣＩ相関判定部６は、ＴＦＣＩ相関値が最も大きいものと２番目にＴＦＣＩ相関値が大きいものとのＴＦＣＩ相関値の差であるＴＦＣＩ相関距離Δｎ，ｍ  としきい値Δｔｈとの比較を行い、ＴＦＣＩ相関距離Δｎ，ｍ  が相関値距離しきい値Δｔｈより小さい場合はＴＦＣＩ情報の信憑性が低いとして、並列デコード処理を選択する。並列デコード処理を行なうか否かを示すＴＦＣＩ選択制御信号は、第２ＴＦ判定部１０と転送チャネルフォーマット判定部１３とに出力される。並列デコードを行なう場合、ＴＦＣＩ相関判定部６はＴＦＣＩ選択制御信号によって第１ＴＦ判定部７と第２ＴＦ判定部１０とを動作させるように設定を行なう。また、並列デコードを行わない場合、ＴＦＣＩ相関判定部６はＴＦＣＩ選択制御信号によって第１ＴＦ判定部７のみ動作するように設定を行い、第２ＴＦ判定部１０は動作しないようにする。すなわち、並列デコードを行なわない場合には、第２ＴＦ判定部１０、第２逆多重化部１１、第２デコード部１２は動作しない。
【００２７】
第１ＴＦ判定部７は、ＴＦＣＩ相関判定部６により選択されたＴＦＣＩ候補のＴＦＣＩ情報から転送チャネル毎に転送フォーマット情報を決定し、第１逆多重化部８へ出力する。第２ＴＦ判定部１０も同様にＴＦＣＩ相関判定部６により選択されたＴＦＣＩ候補のＴＦＣＩ情報から転送チャネル毎に転送フォーマット情報を決定し、第２逆多重化部１１へ出力する。
【００２８】
第１逆多重化部８は、第１ＴＦ判定部７から供給されたＴＦＣＩ候補の転送フォーマット情報に従って、物理チャネル結合部４からの物理チャネルのデータ信号を転送チャネルのブロック数、ブロックサイズに分割し、転送チャネルデータとして第１デコード部９に出力する。第２逆多重化部１１は、第２ＴＦ判定部１０から供給されたＴＦＣＩ候補の転送フォーマット情報に従って、物理チャネル結合部４からの部率チャネルのデータ信号を転送チャネルのブロック数、ブロックサイズに分割し、転送チャネルデータとして第２デコード部１２に出力する。
【００２９】
第１デコード部９、第２デコード部１２では転送チャネル毎に復号処理が行なわれ、復号されたデータとＣＲＣ判定結果２１、２２が転送チャネルフォーマット判定部１３に出力される。
【００３０】
転送チャネルフォーマット判定部１３はＴＦＣＩ相関判定部６からのＴＦＣＩ選択制御信号により、並列デコード処理を行なわない場合、第１デコード部９で復号されたデータとＣＲＣ判定結果２１をそのまま上位層へ報告する。
【００３１】
また、並列デコード処理を行なう場合の転送チャネルフォーマット判定部１３の動作を以下に詳述する。
転送チャネルフォーマット判定部１３は、第１デコード部９のＣＲＣ判定結果がＯＫの場合、第１ＴＦ判定部７から供給されたＴＦＣＩ候補の転送フォーマット情報に従って、物理チャネルのデータ信号を転送チャネルのブロック数、ブロックサイズに分割し、復号処理を施した転送チャネルのデータ、及びＣＲＣ判定結果２１を上位層に報告する。また、第１デコード部９のＣＲＣ判定結果がＮＧで、なおかつ第２デコード部１２のＣＲＣ判定結果がＯＫの場合、第２ＴＦ判定部１０から供給されたＴＦＣＩ候補の転送フォーマット情報に従って、部率チャネルのデータ信号を転送チャネルのブロック数、ブロックサイズに分割し、復号処理を施した転送チャネルのデータ、及びＣＲＣ判定結果２２を上位層に報告する。また、第１デコード部９のＣＲＣ判定結果がＮＧでなおかつ第２デコード部１２のＣＲＣ判定結果もＮＧの場合、転送チャネルのデータ信号そのものがエラーであったとして、第１ＴＦ判定部７から供給されたＴＦＣＩ候補の転送フォーマット情報に従って、物理チャネルのデータ信号を転送チャネルのブロック数、ブロックサイズに分割し、復号処理を施した転送チャネルのデータ、及びＣＲＣ判定結果２１がＮＧである旨を上位層に報告する。
【００３２】
次に、図２を参照しながら第１デコード部９、及び第２デコード部１２の構成を説明する。なお、第１デコード部９と第２デコード部１２の構成は同一であるため、以下では第１デコード部９についてだけ説明する。
第１逆多重化部８から各転送チャネルの情報が入力され、無線フレーム結合部３１で転送時間間隔周期にデータの結合が行われる。結合されたデータは１次インターリービング部３２で転送チャネル毎にデータの並び替えを行い、レートマッチング部３３で転送チャネルのブロック数とブロックサイズにあうようにサイズを調整される。サイズ調整されたデータは誤り訂正復号部３４によって無線環境下で失ったデータ部分の誤り訂正がなされる。誤り訂正後のデータはＣＲＣ判定部３５で転送チャネルの転送ブロック毎にＣＲＣがＯＫかＮＧを判定される。かくして、前述した処理を実行する。
【００３３】
上記構成を具備する本実施形態は、ＣＤＭＡ方式の移動体通信システムに用いられるＣＤＭＡ受信装置に、ＴＦＣＩ相関判定部６と、ＣＲＣ結果に基づく転送チャネルフォーマット判定部１３と、複数の逆多重化部（Ｄｅ−Ｍｕｌｔｉｐｌｅｘｉｎｇ）とデコード部とを設けたことを特徴としている。
【００３４】
図１に示すように、本実施形態のＣＤＭＡ受信装置１は、ＴＦＣＩ復号部５において複数のＴＦＣＩ候補とそれぞれに対応する相関値を出力する。ここでは説明のためＴＦＣＩ相関値が最も大きいＴＦＣＩ候補をＴＦＣＩｎ  、２番目に大きいＴＦＣＩ候補をＴＦＣＩｍ  、それぞれの相関値をＣｏｒｒｎ  ，Ｃｏｒｒｍ  とする（図３）。
【００３５】
ＴＦＣＩ相関判定部６では、入力されたＴＦＣＩ相関値の上位２つの差である相関値距離（Δｎ，ｍ  ＝Ｃｏｒｒｎ  −Ｃｏｒｒｍ  ）がしきい値Δｔｈより小さい場合、第１ＴＦ判定部７にＴＦＣＩ相関値の最も大きいＴＦＣＩ候補、ＴＦＣＩｎ  を出力し、第１逆多重化部８と第１デコード部９によってＴＦＣＩ相関値の最も大きいＴＦＣＩｎ  による復号処理を実行させる。また、第２ＴＦ判定部１０にＴＦＣＩ相関値が２番目に大きいＴＦＣＩ候補、ＴＦＣＩｍ  を出力し、第２逆多重化部１１と第２デコード部１２によってＴＦＣＩ相関値が２番目に大きいＴＦＣＩｍ  による復号処理を実行させる。これらの処理は並列に行なわれる。
【００３６】
転送チャネルフォーマット判定部１３では、第１デコード部９のＣＲＣ判定結果がＯＫの場合、ＴＦＣＩｎ  による転送フォーマット情報で転送チャネルをデコードした結果、及びＣＲＣ判定結果を上位層（図示せず）に報告する。また、第１デコード部９のＣＲＣ判定結果がＮＧで、なおかつ第２デコード部１２のＣＲＣ判定結果がＯＫの場合、ＴＦＣＩｍ  による転送フォーマット情報で転送チャネルをデコードした結果、及びＣＲＣ判定結果を上位層に報告する。第１デコード部９のＣＲＣ判定結果がＮＧで、なおかつ第２デコード部１２のＣＲＣ判定結果もＮＧの場合には、転送チャネルのデータ信号そのものがエラーであったとして、ＴＦＣＩｎ  による転送フォーマット情報で転送チャネルをデコードした結果と、ＣＲＣ判定結果ＮＧを上位層に報告する。
【００３７】
このように本実施形態は、ＴＦＣＩ相関値の差が小さい場合のようなＴＦＣＩ候補の信憑性が低い時に、ＴＦＣＩ相関値が高い複数のＴＦＣＩからの転送フォーマット情報によってデータを復号し、ＣＲＣ判定結果から正しいＴＦＣＩを選択してこのＴＦＣＩによって復号されたデータを上位層に報告する。従って、誤りのない転送フォーマット情報に従って復号化されたデータを上位層に報告することが可能となり、有限である無線リソースの利用効率を保つことができる。
【００３８】
次に、図４に示されたフローチャートを参照しながら本実施形態の動作手順について説明する。
物理チャネル分離部２から出力されたＴＦＣＩ信号はＴＦＣＩ復号部５でＴＦＣＩ候補とＴＦＣＩ相関値で構成されるＴＦＣＩ情報に復号され、ＴＦＣＩ相関判定部６に入力される（ステップＳ１）。
【００３９】
ＴＦＣＩ相関判定部６では、ＴＦＣＩ相関値が最も大きいものと２番目のものとの差である相関値距離Δｎ，ｍ  がしきい値Δｔｈより小さいかどうかを調べる（ステップＳ２）。相関値距離Δｎ，ｍ  がしきい値Δｔｈより小さい場合（ステップＳ２／ＹＥＳ）、ＴＦＣＩ相関判定部６は複数のＴＦＣＩ候補による並列デコード処理を選択し、第１ＴＦ判定部７にＴＦＣＩ相関値が最も大きいＴＦＣＩ候補ＴＦＣＩｎ  を出力し、第２ＴＦ判定部１０に２番目に大きいＴＦＣＩｍ  を出力する（ステップＳ３）。なお、並列デコード処理の実施は、ＴＦＣＩ選択制御信号により転送チャネルフォーマット判定部１３と第２ＴＦ判定部１０に通知される。
【００４０】
第１ＴＦ判定部７は転送されたＴＦＣＩｎ  から、転送チャネル毎に転送フォーマットを決定し、転送フォーマット情報として第１逆多重化部８に出力する（ステップＳ４）。また、第２ＴＦ判定部１０は転送されたＴＦＣＩｍ  から、転送チャネル毎に転送フォーマットを決定し、転送フォーマット情報として第２逆多重化部１１に出力する（ステップＳ４）。
【００４１】
第１逆多重化部８、第２逆多重化部１１は与えられたＴＦＣＩ候補の転送フォーマット情報に従い、物理チャネルのデータ信号を転送チャネルのブロック数、ブロックサイズに分割し、転送チャネルデータとしてそれぞれ第１デコード部９、第２デコード部１３に出力する（ステップＳ５）。
【００４２】
第１デコード部９、第２デコード部１２で転送チャネル毎に復号処理を行い、復号されたデータとＣＲＣ判定結果２１、２２をそれぞれ転送チャネルフォーマット判定部１３に出力する（ステップＳ６）。
【００４３】
転送チャネルフォーマット判定部１３では、まず、第１デコード部９から出力される、ＴＦＣＩｎ  に従ってデコードを行った結果のＣＲＣ判定結果２１を調べ（ステップＳ７）、ＣＲＣ判定結果がＯＫである場合は（ステップＳ７／ＹＥＳ）、ＴＦＣＩはＴＦＣＩｎ  だったと判断し、ＴＦＣＩｎ  による転送フォーマット情報で転送チャネルデータをデコードしたデータ、及びＣＲＣ判定結果２１を上位層に転送する（ステップＳ８）。
【００４４】
一方、ステップＳ７でＣＲＣがＮＧだった場合（ステップＳ７／ＮＯ）、２番目にＴＦＣＩ相関値が大きいＴＦＣＩｍ  に従ってデコードを行った結果のＣＲＣを調べる（ステップＳ９）。このＣＲＣがＯＫである場合は（ステップＳ９／ＹＥＳ）、ＴＦＣＩはＴＦＣＩｍ  だったと判断し、ＴＦＣＩｍ  による転送フォーマット情報で転送チャネルデータをデコードしたデータ、及びＣＲＣ判定結果２２を上位層に転送する（ステップＳ１０）。
【００４５】
さらに、ステップＳ９でＴＦＣＩｍ  に従ってデコードを行った結果のＣＲＣがＮＧだった場合（ステップＳ９／ＮＯ）、転送チャネルのデータ信号そのものがエラーであったとして、ＴＦＣＩｎ  による転送フォーマット情報で転送チャネルをデコードした結果と、ＣＲＣ判定結果ＮＧを上位層に報告する（ステップＳ１１）。
【００４６】
また、ステップＳ２で相関値距離Δｎ，ｍ  がしきい値Δｔｈより大きい場合（ステップＳ２／ＮＯ）、ＴＦＣＩ相関判定部６はＴＦＣＩ相関値が最も大きいＴＦＣＩｎ  がＴＦＣＩであると判断し、第１ＴＦ判定部７にＴＦＣＩｎ  を出力する。なお、この際ＴＦＣＩ選択制御信号により第２ＴＦ判定部１０は動作しないように設定されている。
【００４７】
第１ＴＦ判定部７は第１逆多重化部８にＴＦＣＩｎ  の転送フォーマット情報を出力し（ステップＳ１３）、第１逆多重化部８は、与えられたＴＦＣＩｎ  の転送フォーマット情報に従って、物理チャネルのデータ信号を転送チャネルのブロック数、ブロック数に分割し、転送チャネルデータとして第１デコード部９に出力する（ステップＳ１４）。第１デコード部９では転送チャネル毎に復号処理を行い、復号されたデータとＣＲＣ判定結果２１を転送チャネルフォーマット判定部１３に出力する（ステップＳ１５）。この場合、復号データとＣＲＣ判定結果はそのまま上位層に転送される。
【００４８】
なお、上記実施形態では、並列動作を行う逆多重化部とデコード部を２組みとした構成となっているが、逆多重化部とデコード部の組み合わせを更に増やしＴＦＣＩ候補数分の並列数とすることで３つ以上のＴＦＣＩ候補に対応しても良い。また、逆多重化部とデコード部の処理速度が十分に速い場合は、１つの機能ブロックで構成し、ＴＦＣＩｎ  の処理の後にＴＦＣＩｍ  の処理を行っても良い。
【００４９】
次に、添付図面を参照しながら本発明に係る第２の実施形態について説明する。
本実施形態は、その基本的構成は上記の通りであるが、ＴＦＣＩ相関判定部６のＴＦＣＩ相関比較方式についてさらに工夫している。本実施形態では、図５に示すように最も高いＴＦＣＩ相関値Ｃｏｒｒｎ  が相関しきい値Ｃｏｒｒｔｈより低い場合にのみ相関値距離Δｎ，ｍ  に基づく並列デコード処理を行う。
【００５０】
従って、このＴＦＣＩ相関判定方法を用いたＣＤＭＡ受信装置の動作手順は、図６のようになる。即ち、ＴＦＣＩ相関値ｎが相関しきい値よりも大きい場合、ＴＦＣＩ候補ｎはＴＦＣＩ信号と十分相関が高いとして並列デコード処理を行わなくなる。このように、本実施形態ではデコード処理部の処理時間短縮を図ることができ、デコード処理部が消費する電力を少なくすることでＣＤＭＡ受信装置の通信時間を延ばすという効果が得られる。
【００５１】
なお、上述した実施形態は本発明の好適な実施の形態である。但し、これに限定されるものではなく本発明の要旨を逸脱しない範囲内において種々変形実施可能である。
【００５２】
【発明の効果】
以上の説明より明らかなように本発明は、ＴＦＣＩ相関値の差が小さい場合のようなＴＦＣＩ候補の信憑性が低い時に、ＴＦＣＩ相関値が高い複数のＴＦＣＩからの転送フォーマット情報によってデータを復号し、ＣＲＣ判定結果から正しいＴＦＣＩを選択してこのＴＦＣＩによって復号されたデータを上位層に報告する。従って、誤りのない転送フォーマット情報に従って復号化されたデータを上位層に報告することが可能となり、有限である無線リソースの利用効率を保つことができる。
【００５３】
また、相関値距離がしきい値よりも小さい時に並列処理を行なわず、最も大きいＴＦＣＩ相関値のＴＦＣＩ候補により転送フォーマット情報を決定し、復号処理を行なう。これにより無駄な並列処理の起動を少なくすることができ、消費電力を抑えたＣＤＭＡ受信装置を提供することができる。
【００５４】
また、最も大きいＴＦＣＩ相関値が第２の閾値よりも小さいときにだけ最もＴＦＣＩ相関値が大きいＴＦＣＩ候補と、次にＴＦＣＩ相関値が大きいＴＦＣＩ候補とのＴＦＣＩ相関値の差である相関値距離を第１の閾値と比較して復号処理を並列に行なうか否かを判断することにより、並列処理の起動を少なくし、消費電力を抑えたＣＤＭＡ受信装置を提供することができる。
【図面の簡単な説明】
【図１】本発明に係るＣＤＭＡ受信装置の構成を示すブロック図である。
【図２】第１のデコード部９と第２のデコード部１２の構成を示すブロック図である。
【図３】ＴＦＣＩ候補と、そのＴＦＣＩ相関値を示す図である。
【図４】第１の実施形態の動作手順を示すフローチャートである。
【図５】ＴＦＣＩ候補と、そのＴＦＣＩ相関値を示す図であり、相関しきい値ＣｏｒｒｔｈとＴＦＣＩ相関値との関係を示す図である。
【図６】第２の実施形態の動作手順を示すフローチャートである。
【符号の説明】
１  ＣＤＭＡ受信装置
２  物理チャネル分離部
３  ２次インターリービング部
４  物理チャネル結合部
５  ＴＦＣＩ復号部
６  ＴＦＣＩ相関判定部
７  第１ＴＦ判定部
８  第１逆多重化部
９  第１デコード部
１０  第２ＴＦ判定部
１１  第２逆多重化部
１２  第２デコード部
１３  転送チャネルフォーマット判定部
【図１】
2004343444.tif 000003
【図２】
2004343444.tif 000004
【図３】
2004343444.tif 000005
【図４】
2004343444.tif 000006
【図５】
2004343444.tif 000007
【図６】
2004343444.tif 000008